(57)【要約】      （修正有）【課題】水中で使用される撮影機器例えばストロボ等を取り付けるアームは軽量化がいろいろな工夫で行われていて、このアームの軽量化の為に明けられた穴にフロートを穴の左右から挿入して取り付け固定することによって水中で一層の軽量化が計られる水中撮影用機器のフロートアーム構造を提供するものである。【解決手段】水中で使用され、水中で使用される撮影機器を取り付ける軽量化を計ったアーム本体１と、該アーム本体１の前記軽量化を計った所望の個所にセットされる少なくとも一個のフロート本体４１、４２、４３、４４とからなることを特徴とする水中撮影機器の取付けフロートアーム構造。【選択図】図１
2009251256.tif 000002
【特許請求の範囲】
【請求項１】
水中で使用され、水中で使用される撮影機器を取り付ける軽量化を計ったアーム本体と、該アーム本体の前記軽量化を計った所望の個所にセットされる少なくとも一個のフロート本体とからなることを特徴とする水中撮影機器の取付けフロートアーム構造。
【請求項２】
前記アーム本体の軽量個所に左右から取り付ける構造にしたことを特徴とした請求項１記載のフロート本体。
【発明の詳細な説明】
【技術分野】
【０００１】
本発明は、水中で使用される撮影機器例えばストロボ等を取り付けるアームは軽量化がいろいろな工夫で行われていて、このアームを水中で一層軽量にする水中撮影用機器のフロートアーム構造に関する。
【背景技術】
【０００２】
近年、水中でのレジャーが発展し、その為にいろいろな機材を用いる水中レジャーが隆盛をきたしている。この水中レジャーはプロのダイバー等が主導的な役割を果たしているが、これらの人々の要請も強く、また一般のダイバーの要請をあって、機器の軽量化が計られている。
【０００３】
この機器の軽量化を進めると機器の強度が多少犠牲になるが、それでも軽量化が望まれているのはやはり水中での取りまわしの便利のためである。例えば、機器内にタンクを用意して之に空気を入れる等或いは機器の周囲にフローとを縛り行ける等であるが、特許文献１でも軽量化を目的として提案されているが未だ不十分である。
【特許文献１】特開平１１−２３７６８８号公報
【発明の開示】
【発明が解決しようとする課題】
【０００４】
本発明が解決しようとする問題点は、水中で使用される撮影機器例えばストロボ等を取り付けるアームは軽量化がいろいろな工夫で行われていて、このアームの軽量化の為に明けられた穴にフロートを穴の左右から挿入して取り付け固定することによって水中で一層の軽量化が計られる水中撮影用機器のフロートアーム構造にあるものである。
【課題を解決するための手段】
【０００５】
本発明のフロートアーム構造は、水中で使用され、水中で使用される撮影機器を取り付ける軽量化を計ったアーム本体と、該アーム本体の前記軽量化を計った所望の個所にセットされる少なくとも一個のフロート本体とからなるもので軽量化が計られたアームにフロートを所望の数だけ調節取付けができ浮力調節ができることに意味があるものである。
【発明の効果】
【０００６】
請求項１記載の発明によれば、水中で使用され、水中で使用される撮影機器を取り付ける軽量化を計ったアーム本体と、該アーム本体の前記軽量化を計った所望の個所にセットされる少なくとも一個のフロート本体とからなるものであるから、軽量化が計られたアーム本体を一層軽量化でき、之によって浮力が強くなって水中で活動が自由にでき、またフロートは適宜の数だけ取付けができるので浮力の調節もでき、従って望みの浮力を期待できるなどの効果がある水中撮影機器のフロートアーム構造が提供できるものである。
【発明を実施するための最良の形態】
【０００７】
本発明は、水中で使用するアーム本体の軽量化を計った個所を利用してこの個所にフロートを取付け、しかもこのフロートは数が調節できる為に浮力が調節でき、従って最適な浮力を得てダイバーは軽快に活動できるものになるものである。
【実施例】
【０００８】
以下に、本発明の実施例に係る水中撮影機器の取付けフロートアーム構造について説明する。
【０００９】
（実施例１）
図１乃至図２を参照して本発明の実施例１に係る水中撮影機器の取付けフロートアーム構造について説明する。
【００１０】
１は水中で使用する水中撮影機器を取付けるアーム本体で、このアーム本体１は左右の両端に水中機器を取付ける取付けフック２を構成している。またアーム本体１は軽量化の為に穴３１、３２，３３，３４が複数個開けられていて、これによって一層の軽量化を実現している。勿論この場合、穴３１の形状は円形である必要はなく、また以降穴３１、３２，３３，３４は同一構造であるから穴３１について説明する。
【００１１】
前記アーム本体１の一つ一つの穴３１には一つ一つに対応してフロート本体４、４２，４３、４４が複数個挿入固定される。この場合フロート本体４１，４２，４３，４４は同一構造であるからフロート本体４１について説明する。フロート本体４１の構造は円柱部５１，５２，５３，５４の片方端に鍔部６１，６２，６３，６４を円柱部５１，５２，５３，５４と一体的に形成されたもので、鍔部６１、６２，６３，６４の直径は円柱部５１、５２，５３，５４の直径より大きい。フロート本体４１，４２，４３，４４の反対端には締付け環７１，７２，７３，７４が嵌合される。この場合、締付け環７７１，７２，７３，７４の直径は円柱部５１，５２，５３，５４の直径より長い。
【００１２】
そして、フロート本体４１，４２，４３，４４と穴３１，３２，３３，３４との寸法関係は穴３１，３２，３３，３４に円柱部５１，５２，５３，５４が挿入できる寸法を両者は確保していて、鍔部６１，６２，６３，６４及び締付け環７１，７２，７３，７４の直径は穴３１，３２，３３，３４の直径より長く設定してある。従って、穴３１，３２，３３，３４に円柱部５１，５２，５３，５４の先端を挿入して反対側で締付け環７１，７２，７３，７４で締付けると穴３１，３２，３３，３４に確実にフロート本体４１，４２，４３，４４が固定される。図１は４個のフロート本体４１、４２、４３、４４のうち一個のフロート本体４１を取付ける状態を示し、残りのフロート本体４２，４３，４４は穴３２，３３，３４に取付けられた状態を示したものである。図２は全てのフロート本体４１，４２，４３，４４を穴３１，３２，３３，３４に全て取付けた状態を示している。
【００１３】
次に一個のフロート本体４１を穴３１から外す場合は、前記締付け環７１を円柱部５１から強く引っ張って抜き出せばフロート本体４１は外れる。またこの場合、締付け環７１を引っ張る構造で取り外す説明をしたが、締付け環７１、７２，７３，７４と円柱部５１，５２，５３，５４との取付け取り外し構造は締付け環７１，７２，７３，７４を円柱部５１，５２，５３，５４の先端を加工したネジ部にねじ込む構造でもよいものである。又これ以外の取り付け取り外し構造でもよく、本発明の要旨を変更しない範囲で種々応用ができることもちろんである。
【００１４】
尚、前記締付け環７１，７２，７３，７４を採用せずに締付け環７１，７２，７３，７４が締付け固定される円柱部５１，５２，５３，５４の個所を僅かに直径を長くすることで、円柱部５１，５２，５３，５４を穴３１，３１，３３，３４に強制的に挿入すれば、フロート本体４１，４２，４３，４４を固定できる。
【産業上の利用可能性】
【００１５】
本発明の水中撮影機器の取付けフロートアーム構造は、複数のフロート本体を適宜増減してアーム本体に取付けできるので浮力の調整が簡単で、しかもアーム本体１の軽量化にも役立つものである。
【図面の簡単な説明】
【００１６】
【図１】本発明の実施例に係る水中撮影機器の取付けフロートアーム構造を示す分解斜視図である。
【図２】本実施例に係る水中撮影機器の取付けフロートアーム構造の斜視図である。
【符号の説明】
【００１７】
１    アーム本体
２    取付けフック
３１，３２，３３，３４    穴
４１，４２，４３，４４    フロート本体
５１、５２，５３，５４    円柱部
６１，６２，６３，６４    鍔部
７１，７２，７３，７４    締付け環
【図１】
2009251256.tif 000003
【図２】
2009251256.tif 000004